Podtech/llm-jp-corpus-v4-ja_patent huggingface dataset:
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、当たり判定処理を行う当たり判定手段と、
前記当たり判定手段による当たり判定処理の結果が当たりであることに基づいて、当たり遊技を行う当たり遊技実行手段と、
前記乱数取得手段により乱数が取得された場合、この乱数が供される当たり判定処理をその実行条件が成立するまで待機させて保留する遊技保留手段と、
前記当たり判定処理にかかる実行条件が成立することによりその保留状態が解除された以降、該当たり判定処理の結果に基づいて、図柄の変動表示にかかる制御を行う変動表示制御手段と、
前記遊技保留手段によって保留されている当たり判定処理についての保留の状況が示される領域に、該当たり判定処理についての当たり期待度が示される保留演出画像を出現させる制御を実行可能な保留演出制御手段と、
前記遊技保留手段によって保留されている当たり判定処理のうちの特定の当たり判定処理に対して前記保留演出画像が現れているなかで保留状態にある他の当たり判定処理にかかる実行条件が成立した場合、前記保留演出画像に対して成否の分岐点を有する特定の動的演出を開始させるとともに、該特定の動的演出が成功側へと分岐するときと失敗側へと分岐するときとで異なる演出結果となる進展表示を、前記実行条件の成立した１回の他の当たり判定処理の結果に応じた図柄の変動表示が行われる期間内で出現させる制御を実行可能な進展表示制御手段と
を備え、前記保留演出画像に対して特定の動的演出を開始させてから前記成功側へと分岐する進展表示が現れる場合と前記失敗側へと分岐する進展表示が現れる場合とで異なる当たり期待度であることが示されうるものであって、
さらに、
前記保留演出画像として当たり期待度の異なる複数の態様が用意されており、
前記保留演出画像に対して開始された特定の動的演出によって前記成功側へと分岐する進展表示が現れた結果として、該保留演出画像が当たり期待度の異なる態様の保留演出画像に変化した場合、該変化した保留演出画像を、さらに当たり期待度の異なる態様の保留演出画像へと変化させるように制御する手段、及び
前記保留演出画像に対して特定の動的演出を開始させてから前記成功側へと分岐する進展表示と前記失敗側へと分岐する進展表示とのいずれが出現されるのか事前に決定されているにもかかわらず、前記特定の動的演出が未だ開始されていない段階にあるときに、他の当たり判定処理の結果に応じた図柄の変動表示が行われた結果、当たり表示が現れた場合、前記特定の動的演出を開始させることのないままで前記特定の当たり判定処理にかかる実行条件が成立しうるようにする手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】００１０
【補正方法】変更
【補正の内容】
【００１０】
手段１：始動口への遊技球の入球に基づいて乱数を取得する乱数取得手段と、前記乱数取得手段により取得される乱数に基づいて、当たり判定処理を行う当たり判定手段と、前記当たり判定手段による当たり判定処理の結果が当たりであることに基づいて、当たり遊技を行う当たり遊技実行手段と、前記乱数取得手段により乱数が取得された場合、この乱数が供される当たり判定処理をその実行条件が成立するまで待機させて保留する遊技保留手段と、前記当たり判定処理にかかる実行条件が成立することによりその保留状態が解除された以降、該当たり判定処理の結果に基づいて、図柄の変動表示にかかる制御を行う変動表示制御手段と、前記遊技保留手段によって保留されている当たり判定処理についての保留の状況が示される領域に、該当たり判定処理についての当たり期待度が示される保留演出画像を出現させる制御を実行可能な保留演出制御手段と、前記遊技保留手段によって保留されている当たり判定処理のうちの特定の当たり判定処理に対して前記保留演出画像が現れているなかで保留状態にある他の当たり判定処理にかかる実行条件が成立した場合、前記保留演出画像に対して成否の分岐点を有する特定の動的演出を開始させるとともに、該特定の動的演出が成功側へと分岐するときと失敗側へと分岐するときとで異なる演出結果となる進展表示を、前記実行条件の成立した１回の他の当たり判定処理の結果に応じた図柄の変動表示が行われる期間内で出現させる制御を実行可能な進展表示制御手段とを備え、前記保留演出画像に対して特定の動的演出を開始させてから前記成功側へと分岐する進展表示が現れる場合と前記失敗側へと分岐する進展表示が現れる場合とで異なる当たり期待度であることが示されうるものであって、さらに、前記保留演出画像として当たり期待度の異なる複数の態様が用意されており、前記保留演出画像に対して開始された特定の動的演出によって前記成功側へと分岐する進展表示が現れた結果として、該保留演出画像が当たり期待度の異なる態様の保留演出画像に変化した場合、該変化した保留演出画像を、さらに当たり期待度の異なる態様の保留演出画像へと変化させるように制御する手段、及び前記保留演出画像に対して特定の動的演出を開始させてから前記成功側へと分岐する進展表示と前記失敗側へと分岐する進展表示とのいずれが出現されるのか事前に決定されているにもかかわらず、前記特定の動的演出が未だ開始されていない段階にあるときに、他の当たり判定処理の結果に応じた図柄の変動表示が行われた結果、当たり表示が現れた場合、前記特定の動的演出を開始させることのないままで前記特定の当たり判定処理にかかる実行条件が成立しうるようにする手段を有することを特徴とする遊技機。
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
衣類が収容され、回転中心が水平又は開口部側が高くなるように傾斜させたドラムと、このドラムを回転駆動するモータと、前記ドラムを支持する筐体を有し、前記ドラムの内周面にはリフターが設けられており、前記筐体の横幅寸法が６１０mm以下、前記筐体の奥行き寸法が７３０mm以下であって、前記ドラムの回転と前記リフターにより前記衣類が持ち上がり重力で落下するような動きを繰り返しながら、洗濯を行う、一般家庭に設置されるドラム式洗濯機において、
前記ドラムの直径Ｄ（mm）と、前記ドラムの奥行き寸法Ｌｄ（mm）とが、
０.５４≦（Ｄ／２）／Ｌｄ≦０.７６
であって、前記ドラムの奥行き寸法Ｌｄが３５０mm以上かつ４４０mm以下であることを特徴とするドラム式洗濯機。
【請求項２】
衣類が収容され、回転中心が水平又は開口部側が高くなるように傾斜させたドラムと、このドラムを回転駆動するモータと、前記ドラムを支持する筐体を有し、前記ドラムの内周面にはリフターが設けられており、前記筐体の横幅寸法が６１０mm以下、前記筐体の奥行き寸法が７３０mm以下であって、前記ドラムの回転と前記リフターにより前記衣類が持ち上がり重力で落下するような動きを繰り返しながら、洗濯および乾燥を行う、一般家庭に設置されるドラム式洗濯乾燥機において、
前記ドラムの直径Ｄ（mm）と、前記ドラムの奥行き寸法Ｌｄ（mm）とが、
０.５４≦（Ｄ／２）／Ｌｄ≦０.７６
であって、前記ドラムの奥行き寸法Ｌｄが３５０mm以上かつ４４０mm以下であり、
乾燥運転時に、前記開口部側から前記ドラム内の衣類に対して風速４５ｍ／ｓ以上の風を吹きつけることを特徴とするドラム式洗濯乾燥機。
【手続補正２】
【補正対象書類名】明細書
【補正対象項目名】０００８
【補正方法】変更
【補正の内容】
【０００８】
上記目的を達成するために、本発明は、衣類が収容され、回転中心が水平又は開口部側が高くなるように傾斜させたドラムと、このドラムを回転駆動するモータと、前記ドラムを支持する筐体を有し、前記ドラムの内周面にはリフターが設けられており、前記筐体の横幅寸法が６１０mm以下、前記筐体の奥行き寸法が７３０mm以下であって、前記ドラムの回転と前記リフターにより前記衣類が持ち上がり重力で落下するような動きを繰り返しながら、洗濯を行う、一般家庭に設置されるドラム式洗濯機において、
前記ドラムの直径Ｄ（mm）と、前記ドラムの奥行き寸法Ｌｄ（mm）とが、
０.５４≦（Ｄ／２）／Ｌｄ≦０.７６
であって、前記ドラムの奥行き寸法Ｌｄが３５０mm以上かつ４４０mm以下とした。
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
上方が開口し、有底形状であって、吸込口を有するタンクと、
前記タンクに固定される本体と、を有し、
前記本体は、モータと、前記モータにより回転するファンと、を有し、
前記タンクには、前記吸込口と前記本体との間を仕切るフィルタが配置されており、
前記フィルタの内部には、板状の弾性体が配置されていることを特徴とする集塵機。
【請求項２】
モータと、
前記モータにより回転するファンと、
前記モータを駆動させるためのスイッチと、
前記モータ及び前記ファンを収容し、前記スイッチが設けられる本体と、
前記本体に接続されるタンクと、
前記タンクに設けられる吸込口と、
前記タンクに係止されるフィルタと、
前記フィルタの内部に配置される板状の弾性体と、を有することを特徴とする集塵機。
【手続補正２】
【補正対象書類名】明細書
【補正対象項目名】０００６
【補正方法】変更
【補正の内容】
【０００６】
上記目的を達成するために、請求項１に記載の発明は、上方が開口し、有底形状であって、吸込口を有するタンクと、前記タンクに固定される本体と、を有し、前記本体は、モータと、前記モータにより回転するファンと、を有し、前記タンクには、前記吸込口と前記本体との間を仕切るフィルタが配置されており、前記フィルタの内部には、板状の弾性体が配置されていることを特徴とするものである。
上記目的を達成するために、請求項２に記載の発明は、モータと、前記モータにより回転するファンと、前記モータを駆動させるためのスイッチと、前記モータ及び前記ファンを収容し、前記スイッチが設けられる本体と、前記本体に接続されるタンクと、前記タンクに設けられる吸込口と、前記タンクに係止されるフィルタと、前記フィルタの内部に配置される板状の弾性体と、を有することを特徴とするものである。
【手続補正書】
【提出日】平成26年7月31日(2014.7.31)
【手続補正１】
【補正対象書類名】明細書
【補正対象項目名】０００５
【補正方法】変更
【補正の内容】
【０００５】
しかしながら、遊技者が操作可能な音量調節手段を設けて遊技者が音量を変えられるようにした場合には、遊技店が想定した以上の大きな音量となり、店内放送を流しても遊技者に聞き取りにくくなるおそれがある。
【手続補正２】
【補正対象書類名】明細書
【補正対象項目名】０００７
【補正方法】変更
【補正の内容】
【０００７】
上記課題を解決するため、請求項１に記載の発明は、
識別情報を変動表示可能な表示装置と、
所定の音出力手段から出力される遊技演出音の音量を、所定の設定操作により変更可能な音量設定手段と、
前記表示装置における表示の制御を行うとともに、前記所定の音出力手段から出力される遊技演出音の制御を行う演出制御手段と、を備えた遊技機において、
前記音量設定手段は、
遊技者が設定操作不可能な第１音量設定手段と、遊技者が設定操作可能な第２音量設定手段と、を含み、
前記演出制御手段は、
前記所定の音出力手段から出力される遊技演出音の音量を、前記音量設定手段による設定に基づいて制御する機能を有し、
前記第２音量設定手段による音量の設定操作では、前記第１音量設定手段で設定された音量を前記第２音量設定手段で設定可能な音量の上限とし、該上限以下の音量を設定可能に構成したことを特徴とする。
【手続補正３】
【補正対象書類名】明細書
【補正対象項目名】０００９
【補正方法】変更
【補正の内容】
【０００９】
請求項１に記載の発明によれば、例えば遊技機の前面と裏面にそれぞれ音量設定手段を設けた場合、遊技機前面の遊技者が設定操作可能な第２音量設定手段による音量変更は、遊技機裏面の遊技者が設定操作不可能な第１音量設定手段で設定された音量の範囲で変更できるように制限されることにより、災害等の発生を知らせる緊急アナウンスを報知した場合に、遊技者が遊技演出音によって緊急アナウンスを聞き逃してしまうといった事態が生じるのを避けることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明によれば、店内放送を流しても遊技者に聞き取りにくくなるのを回避することができるという効果がある。
【手続補正１４】
【補正対象書類名】特許請求の範囲
【補正対象項目名】全文
【補正方法】変更
【補正の内容】
【特許請求の範囲】
【請求項１】
識別情報を変動表示可能な表示装置と、
所定の音出力手段から出力される遊技演出音の音量を、所定の設定操作により変更可能な音量設定手段と、
前記表示装置における表示の制御を行うとともに、前記所定の音出力手段から出力される遊技演出音の制御を行う演出制御手段と、を備えた遊技機において、
前記音量設定手段は、
遊技者が設定操作不可能な第１音量設定手段と、遊技者が設定操作可能な第２音量設定手段と、を含み、
前記演出制御手段は、
前記所定の音出力手段から出力される遊技演出音の音量を、前記音量設定手段による設定に基づいて制御する機能を有し、
前記第２音量設定手段による音量の設定操作では、前記第１音量設定手段で設定された音量を前記第２音量設定手段で設定可能な音量の上限とし、該上限以下の音量を設定可能に構成したことを特徴とする遊技機。
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
遊技窓部と、該遊技窓部の周辺に設けられる装飾部と、を備える遊技機であって、
前記装飾部は、
該装飾部の背面に前方を向いて配置されるスピーカと、
該スピーカの周辺近傍位置に配置される発光手段と、
透光性を有する部材で形成され、前記スピーカ及び前記発光手段を被覆する装飾カバーと、から構成され、
前記装飾カバーは、前記スピーカ及び前記発光手段の前方に立体形状で形成され、該装飾カバーの前記遊技窓部側に前記スピーカから出力される音が透過する透音孔が形成され、
前記遊技機は、
前記装飾カバーの前記遊技窓部側に前記遊技窓部に対し立設される立壁部を備え、
前記立壁部は、遮光性を有する部材で形成されている
ことを特徴とする遊技機。
【手続補正２】
【補正対象書類名】明細書
【補正対象項目名】０００６
【補正方法】変更
【補正の内容】
【０００６】
また、上記特許文献１，２及び特に特許文献３に記載の遊技機にあっては、装飾カバーにおけるスピーカの対向位置に形成される透音孔が前方に迫り出すことになるが、透音孔から透過された音が広がる前に遊技者の左右側方を通り過ぎてしまい、音が聞こえ難くなる虞があった。
【手続補正３】
【補正対象書類名】明細書
【補正対象項目名】０００７
【補正方法】変更
【補正の内容】
【０００７】
本発明は、このような問題点に着目してなされたもので、音と光による演出効果を高めることができる遊技機を提供することを目的とする。
【手続補正４】
【補正対象書類名】明細書
【補正対象項目名】０００８
【補正方法】変更
【補正の内容】
【０００８】
前記課題を解決するために、本発明の請求項１に記載の遊技機は、
遊技窓部と、該遊技窓部の周辺に設けられる装飾部と、を備える遊技機であって、
前記装飾部は、
該装飾部の背面に前方を向いて配置されるスピーカと、
該スピーカの周辺近傍位置に配置される発光手段と、
透光性を有する部材で形成され、前記スピーカ及び前記発光手段を被覆する装飾カバーと、から構成され、
前記装飾カバーは、前記スピーカ及び前記発光手段の前方に立体形状で形成され、該装飾カバーの前記遊技窓部側に前記スピーカから出力される音が透過する透音孔が形成され、
前記遊技機は、
前記装飾カバーの前記遊技窓部側に前記遊技窓部に対し立設される立壁部を備え、
前記立壁部は、遮光性を有する部材で形成されている
ことを特徴としている。
この特徴によれば、スピーカ及び発光手段の前方が装飾カバーにより被覆されることで、発光手段だけでなくスピーカの前方の装飾性を高めることができる。また、スピーカからの音は遊技者側に透過するので、音が聞こえやすくなり、音と光による演出効果を高めることができる。また、装飾カバーから透過された光が遊技窓部に映り込むことで、遊技者が遊技領域を視認しにくくなったり、遊技領域の装飾性が損なわれることが防止される。
本発明の手段１の遊技機は、
遊技媒体（遊技球）を用いて遊技者が所定の遊技を行うことが可能であり、遊技が行われる遊技領域（７）を視認可能に形成される遊技窓部（視認窓９００）と、該遊技窓部の上方に設けられる装飾部（周辺領域Ｚの左右上角部）と、を備える遊技機（パチンコ遊技機１）であって、
前記装飾部は、
該装飾部の背面に前方を向いて配置されるスピーカ（２７ａ，２７ｂ）と、
該スピーカの周辺近傍位置に並設される発光手段（左枠上ＬＥＤ２８ｂ、右枠上ＬＥＤ２８ｃ）と、
透光性を有する部材で形成され、前記スピーカ及び前記発光手段を被覆する装飾カバー（透光性を有する合成樹脂材からなる左スピーカレンズカバー９３５Ｌ，右スピーカレンズカバー９３５Ｒ）と、から構成され、
前記装飾カバーは、前記スピーカ及び前記発光手段の前方に向けて膨出する立体形状に形成され、該装飾カバーの前記遊技窓部側に臨む側壁（内側面部９７０ｂ，９７１ｂ）に前記スピーカから出力される音が透過する透音孔（第３透音部９７７Ｌ，９７７Ｒ、複数の透音孔９７７ａ）が形成されている（図２３参照）
ことを特徴としている。
この特徴によれば、スピーカ及び発光手段の前方が装飾カバーにより被覆されることで、発光手段だけでなくスピーカの前方の装飾性を高めることができるとともに、装飾カバーを前方に膨出する立体形状に形成することにより、装飾カバーの装飾面積を遊技領域側ではなく前方に拡大して装飾効果を高めることができる。また、透音孔が側壁に形成されていることで、装飾カバーが前方に迫り出しても、スピーカからの音は遊技窓部、つまり遊技者側に透過するので、音が聞こえやすくなるとともに、遊技機の正面からは透音孔が目立ちにくくなるので、音と光による演出効果を高めることができる。
【手続補正５】
【補正対象書類名】明細書
【補正対象項目名】０００９
【補正方法】変更
【補正の内容】
【０００９】
本発明の手段２の遊技機は、手段１に記載の遊技機であって、
前記装飾カバー（左スピーカレンズカバー９３５Ｌ，右スピーカレンズカバー９３５Ｒ）は、凹凸による光拡散加工が施され（側面部９７０ｂ，９７１ｂの裏面には凸条９７４により凹凸部が形成されている）、該凹凸の形状に合わせて前記透音孔（第３透音部９７７Ｌ，９７７Ｒの透音孔９７７ａ）が形成されている（図１９参照）
ことを特徴としている。
この特徴によれば、発光手段からの光が装飾カバーを透過する際に拡散されるとともに、光拡散加工により形成された凹凸を利用して透音孔を目立たなくすることができるので、装飾カバーの装飾性の低下が防止される。
【手続補正６】
【補正対象書類名】明細書
【補正対象項目名】００１０
【補正方法】変更
【補正の内容】
【００１０】
本発明の手段３の遊技機は、手段１または２に記載の遊技機であって、
透光性を有する部材で形成され、凹凸による光拡散加工が施された内カバー（裏面に凹凸部が形成され、透光性を有する合成樹脂材からなる左スピーカインナーレンズ９３７Ｌ及び右スピーカインナーレンズ９３７Ｒ）を備え、
該内カバーを前記透音孔（第３透音部９７７Ｌ，９７７Ｒの透音孔９７７ａ）と前記発光手段（左枠上ＬＥＤ２８ｂ、右枠上ＬＥＤ２８ｃ）とを仕切るように配設した（図２１参照）
ことを特徴としている。
この特徴によれば、透音孔を通して発光手段が遊技者側に露呈することがないので、装飾カバーの装飾性の低下が防止されるばかりか、発光手段からの光が内カバーにより拡散されることで、装飾カバーを広範囲にわたり光により装飾できる。
【手続補正７】
【補正対象書類名】明細書
【補正対象項目名】００１１
【補正方法】変更
【補正の内容】
【００１１】
本発明の手段４の遊技機は、手段１〜３のいずれかに記載の遊技機であって、
前記遊技窓部（視認窓９００）に対し立設される立壁部（レンズベース９３１の側周壁９３１ａ）を備え、
前記側壁（内側面部９７０ｂ，９７１ｂ）は前記立壁部に連設され、該立壁部は遮光性を有する部材（非透光性を有する合成樹脂材）で形成される（図２２参照）
ことを特徴としている。
この特徴によれば、側壁から透過された光が遊技窓部に映り込むことで、遊技者が遊技領域を視認しにくくなったり、遊技領域の装飾性が損なわれることが防止される。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
遊技の演出に係る制御を行う演出制御手段と、
前記遊技の演出を行う演出装置を制御するための単位制御手段と、を備え、
前記演出制御手段を、前記単位制御手段を統括的に制御する統括制御手段として構成し、
前記単位制御手段と前記統括制御手段とを、複数の接続線を一体化して構成したハーネスによりコネクタを介して接続し、
該ハーネスは、
前記統括制御手段から前記単位制御手段へデータを伝達するデータ線と、
前記単位制御手段に電源電圧を供給する電源線と、を含み、
前記単位制御手段は、
前記ハーネスを構成する電源線からの電源供給が開始されると当該単位制御手段自身の初期化を行い、
所定の更新指令信号を受信したタイミングで、前記演出装置の出力態様を更新することを特徴とする遊技機。
【手続補正２】
【補正対象書類名】明細書
【補正対象項目名】０００１
【補正方法】変更
【補正の内容】
【０００１】
演出装置を制御するための単位制御手段と、単位制御手段を統括的に制御する統括制御手段とを備えた遊技機に関する。
【手続補正３】
【補正対象書類名】明細書
【補正対象項目名】０００５
【補正方法】変更
【補正の内容】
【０００５】
特許文献１に記載の遊技機は、統括制御手段と単位制御手段とを接続する接続線の数を削減することができなかった。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明は、統括制御手段と単位制御手段とを接続する接続線の数を削減することのできる遊技機を提供することを目的とする。
【手続補正９】
【補正対象書類名】明細書
【補正対象項目名】００１１
【補正方法】変更
【補正の内容】
【００１１】
本発明は、遊技の演出に係る制御を行う演出制御手段と、前記遊技の演出を行う演出装置を制御するための単位制御手段と、を備え、前記演出制御手段を、前記単位制御手段を統括的に制御する統括制御手段として構成し、前記単位制御手段と前記統括制御手段とを、複数の接続線を一体化して構成したハーネスによりコネクタを介して接続し、該ハーネスは、前記統括制御手段から前記単位制御手段へデータを伝達するデータ線と、前記単位制御手段に電源電圧を供給する電源線と、を含み、前記単位制御手段は、前記ハーネスを構成する電源線からの電源供給が開始されると当該単位制御手段自身の初期化を行い、所定の更新指令信号を受信したタイミングで、前記演出装置の出力態様を更新する。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
本発明によれば、統括制御手段と単位制御手段とを接続する接続線の数を削減することのできる遊技機を提供することができる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
各遊技機に対応して配置され、遊技用記録媒体を受付けて対応する遊技機での遊技を可能にする遊技用装置であって、
前記遊技用記録媒体を受付ける受付部を有する上部ユニットと、
該上部ユニットの下側に配設される下部ユニットと、
該下部ユニットに連結され、遊技媒体を計数するために受入れ可能な計数受入部を有する遊技媒体受入ユニットと、を備え、
前記下部ユニットは、
前記計数受入部に受入れられた遊技媒体が流入する計数遊技媒体通路と、
遊技者に払出すための遊技媒体を導く払出遊技媒体通路とを含み、
前記上部ユニットは、計数された遊技媒体数を表示する表示部を含み、
さらに、遊技用装置は、前記払出遊技媒体通路に供給するための遊技媒体を遊技島から取込む取込通路を備えることを特徴とする、遊技用装置。
【手続補正２】
【補正対象書類名】明細書
【補正対象項目名】０００９
【補正方法】変更
【補正の内容】
【０００９】
（１）  各遊技機（たとえば、パチンコ機２）に対応して配置され、遊技用記録媒体（たとえば、ビジターカードや会員カード）を受付けて対応する遊技機での遊技を可能にする遊技用装置（たとえば、カードユニット３）であって、
前記遊技用記録媒体を受付ける受付部（たとえば、カード挿入口３０９、カードリーダライタ３２７）を有する上部ユニット（たとえば、上部ユニット３ａ）と、
該上部ユニットの下側に配設される下部ユニット（たとえば、下部ユニット３ｂ）と、
該下部ユニットに連結され、遊技媒体を計数するために受入れ可能な計数受入部を有する遊技媒体受入ユニット（たとえば、玉受皿ユニット４）と、を備え、
前記下部ユニットは、
前記計数受入部に受入れられた遊技媒体が流入する計数遊技媒体通路（たとえば、第１計数玉流下経路４４０ａ、第２計数玉流下経路４４０ｂ）と、
遊技者に払出すための遊技媒体を導く払出遊技媒体通路（たとえば、返却玉流下樋１５９）とを含み、
前記上部ユニットは、計数された遊技媒体数を表示する表示部を含み、
さらに、遊技用装置は、前記払出遊技媒体通路に供給するための遊技媒体を遊技島から取込む取込通路を備えることを特徴とする。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
導体に絶縁体を被覆した芯線を複数本撚り合わせて形成された芯線束と、
前記芯線束の外周にバインドテープを螺旋状に横巻きして形成されたテープ層と、
前記テープ層の外周に金属素線を螺旋状に横巻きして形成されたシールド層と、
前記シールド層の外周に被覆されたシース層と、を有し、
前記バインドテープは、前記芯線の撚り方向と反対方向に巻き付けられ、
前記導体及び前記金属素線は、引張強度が９００ＭＰａ以上、伸び率が２％以下であることを特徴とするカテーテル内電線。
【請求項２】
前記導体及び前記金属素線は、導電率が８０％以上である請求項１に記載のカテー
テル内電線。
【請求項３】
前記芯線の撚り合わせピッチ（Ｐ）と撚り合わせ外径（ＰＤ）との比（Ｐ／ＰＤ）が、１５〜２５の範囲内である請求項１又は２に記載のカテーテル内電線。
【請求項４】
前記シース層は、メルトフローレイト（ＭＦＲ）が３５以上のフッ素樹脂からなる請求項１から３の何れか一項に記載のカテーテル内電線。
【請求項５】
前記金属素線は、前記芯線の撚り方向と同一方向に巻き付けられる請求項１から４の何れか一項に記載のカテーテル内電線。
【請求項６】
前記金属素線は、銀メッキが施された銀メッキ素線である請求項１から５の何れか一項に記載のカテーテル内電線。
【手続補正２】
【補正対象書類名】明細書
【補正対象項目名】００１１
【補正方法】変更
【補正の内容】
【００１１】
上述の目的を達成するため、本発明のカテーテル内電線は、導体に絶縁体を被覆した芯線を複数本撚り合わせて形成された芯線束と、前記芯線束の外周にバインドテープを螺旋状に横巻きして形成されたテープ層と、前記テープ層の外周に金属素線を螺旋状に横巻きして形成されたシールド層と、前記シールド層の外周に被覆されたシース層と、を有し、前記バインドテープは、前記芯線の撚り方向と反対方向に巻き付けられ、前記導体及び前記金属素線は、引張強度が９００ＭＰａ以上、伸び率が２％以下であることを特徴とする。
【手続補正３】
【補正対象書類名】明細書
【補正対象項目名】００１２
【補正方法】変更
【補正の内容】
【００１２】
前記導体及び前記金属素線は、導電率が８０％以上であることが好ましい。
【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
第１長辺、第２長辺、第１短辺、及び第２短辺を含むボトムカバーと、
前記ボトムカバーの内に前記第１長辺、第２長辺、第１短辺、または第２短辺のうち、少なくともいずれか１つに沿って配置される発光モジュールと、
前記ボトムカバーの内に前記発光モジュールの上側に少なくとも一部分が配置される導光板と、
前記導光板の上に配置される光学シートと、
前記ボトムカバーに連結され、少なくとも一部分が前記光学シートの上に配置される支持部材と、
前記支持部材の上に配置され、前記ボトムカバーと連結されるトップカバーと、を含み、
前記導光板は、前記発光モジュールの上側と対応する部分に傾斜面が形成され、前記傾斜面には反射層が形成されたことを特徴とする、バックライトユニット。
【請求項２】
前記発光モジュールは、発光モジュール基板と、前記発光モジュール基板の上に配置される複数の発光素子と、を含むことを特徴とする、請求項１に記載のバックライトユニット。
【請求項３】
前記発光モジュールは、前記ボトムカバーと前記トップカバーとの間に配置されることを特徴とする、請求項１または２に記載のバックライトユニット。
【請求項４】
前記発光モジュールは、前記導光板の下に配置されて前記導光板の下面に光を照射することを特徴とする、請求項１〜３のいずれかに記載のバックライトユニット。
【請求項５】
前記ボトムカバーの上に放熱部材が配置され、前記発光モジュールは前記放熱部材の上に配置されることを特徴とする、請求項１〜４のいずれかに記載のバックライトユニット。
【請求項６】
前記ボトムカバーと導光板との間に反射シートをさらに含むことを特徴とする、請求項１〜５のいずれかに記載のバックライトユニット。
【請求項７】
前記放熱部材は、第１放熱部材、及び前記第１放熱部材が前記ボトムカバーに結合されるように支持する第２放熱部材をさらに含み、
前記発光モジュールは、前記第２放熱部材の上に配置されることを特徴とする、請求項５〜６のいずれかに記載のバックライトユニット。
【請求項８】
前記第１放熱部材はヒートパイプであることを特徴とする、請求項７に記載のバックライトユニット。
【請求項９】
前記第２放熱部材には、突出部が形成されたことを特徴とする、請求項７〜８のいずれかに記載のバックライトユニット。
【請求項１０】
前記第２放熱部材の突出部は、前記反射シートと接触されることを特徴とする、請求項９に記載のバックライトユニット。
【請求項１１】
前記複数の発光素子は、前記支持部材と前記ボトムカバーとの間に配置されることを特徴とする、請求項２〜１０のいずれかに記載のバックライトユニット。
【請求項１２】
前記支持部材は、前記光学シートの下面が前記導光板と接触するように前記光学シートの上面と接触することを特徴とする、請求項１〜１１のいずれかに記載のバックライトユニット。
【請求項１３】
請求項１〜１２のうちいずれか１項に記載されたバックライトユニットと、
前記支持部材と前記トップカバーにより支持され、前記光学シートの上に配置される表示パネルと、を含むことを特徴とする、表示装置。
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
少なくとも１つの列（１８）の紫外線ＬＥＤを備えた硬化組立体であって、
前記列（１８）を部分的に包囲する長尺反射面を有し、開口部を備え、基板上の被覆を硬化するために前記開口部から照射される放射線を受ける位置に支持された基板に向かって放射線を照射する反射部（４）と、
前記列（１８）と前記開口部との間に設けられたレンズ（２４）と、を備え、
前記反射面と前記レンズとは、前記基板を支持する位置に共通の焦点を有することを特徴とする紫外線ＬＥＤ硬化組立体。
【請求項２】
前記反射面は第２焦点を備えると共に、前記列（１８）は前記第２焦点に配置されることを特徴とする請求項１に記載の紫外線ＬＥＤ硬化組立体。
【請求項３】
前記反射面は、前記レンズ（２４）を通じない放射線の反射を最大にし、前記レンズ（２４）に逆に反射される放射線の量を最小にするように形成されて配置されることを特徴とする請求項１又は２に記載の紫外線ＬＥＤ硬化組立体。
【請求項４】
前記レンズ（２４）は、円柱状のロッドからなることを特徴とする請求項１〜３のいずれかに記載の紫外線ＬＥＤ硬化組立体。
【請求項５】
前記レンズ（２４）は、断面半円のロッドからなることを特徴とする請求項１〜３のいずれかに記載の紫外線ＬＥＤ硬化組立体。
【請求項６】
前記ロッドは、石英で形成されることを特徴とする請求項４又は５に記載の紫外線ＬＥＤ硬化組立体。
【請求項７】
前記レンズ（２４）は、前記基板を支持する位置で放射線を焦点に集めるために配置された収束レンズからなることを特徴とする請求項１〜３のいずれかに記載の紫外線ＬＥＤ硬化組立体。
【請求項８】
前記ＬＥＤ（２８）は、外側領域の前記ＬＥＤがそれ以外の前記ＬＥＤよりも接近するように配置されることを特徴とする請求項１〜７のいずれかに記載の紫外線ＬＥＤ硬化組立体。
【請求項９】
前記ＬＥＤ（２８）は、前記ＬＥＤがそれ以外の前記ＬＥＤに対して回転する中心領域を有するように配置されることを特徴とする請求項１〜８のいずれかに記載の紫外線ＬＥＤ硬化組立体。
【請求項１０】
前記中心領域にある前記ＬＥＤ（２８）は、それ以外の前記ＬＥＤに対して４５度回転することを特徴とする請求項９に記載の紫外線ＬＥＤ硬化組立体。
【請求項１１】
前記中心領域にある前記ＬＥＤ（２８）は、それ以外の前記ＬＥＤよりも間隔を置いて配置されていることを特徴とする請求項９又は１０に記載の紫外線ＬＥＤ硬化組立体。
【請求項１２】
前記ＬＥＤ（２８）は、１５〜５０％の充填密度を有することを特徴とする請求項１〜１１のいずれかに記載の紫外線ＬＥＤ硬化組立体。
【請求項１３】
前記ＬＥＤ（２８）は、２０〜３８％の充填密度を有することを特徴とする請求項１〜１１のいずれかに記載の紫外線ＬＥＤ硬化組立体。
【請求項１４】
前記ＬＥＤ（２８）は、水冷回路基板（３０）に取り付けられることを特徴とする請求項１〜１３のいずれかに記載の紫外線ＬＥＤ硬化組立体。
【請求項１５】
さらに、前記開口部を通じて照射される放射線を受ける位置で基板を支持するための基板支持部を備えることを特徴とする請求項１〜１４のいずれかに記載の紫外線ＬＥＤ硬化組立体。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
タンデムデジタル印刷システム内で画像印刷媒体シートの見当合わせを制御する方法であって、
印刷ジョブ用の複数のパラメータを受け取る工程と、
第１の印刷エンジンと第２の印刷エンジンを循環動作させる工程で、第１の印刷エンジンが少なくとも第１の継合光受容体ベルトと出力反転器とを含み、第２の印刷エンジンが少なくとも第２の継合光受容体ベルトを含む工程と、
第１と第２の光受容体ベルトに関する継目オフセットを算出する工程で、前記継目オフセットは前記第１の光受容体ベルトの継目に対する前記第２の光受容体ベルトの継目をオフセットさせる時間量である、工程と、
継目オフセットに基づき第１と第２の光受容体ベルトの速度を調整する工程と、
印刷ジョブを開始する工程と、
所与のピッチモードにおける最大シート寸法と、実際のシート寸法と、前記出力反転器に進入するシート速度とに基づいて、所与のシート長さについての出力反転器の一時停止時間を調整する工程とを含む、方法。
【請求項２】
請求項１に記載の方法において、
所与のピッチモードでの最大シート寸法についての前記継目オフセットは、下式で算出される、方法。
継目オフセット＝第１の印刷エンジンから最大シート寸法を反転器が保持するまでの時間＋公称反転器一時停止時間＋反転器保持から第２の印刷エンジンまでの時間−ベルト期間
ここで、第１の印刷エンジンから最大シート寸法を反転器が保持するまでの時間とは、所与のピッチモードにおける最大シート寸法についての第１の印刷エンジンの出力反転器内でシートが停止するまでの第１の印刷エンジンの転写からの時間であり、
公称反転器一時停止時間とは、第１の印刷エンジンの出力反転器における公称一時停止時間であり、
反転器保持から第２の印刷エンジンまでの時間とは、所与のピッチモードでの最大シート寸法について、シートが反転器から離脱開始する時点から第２の印刷エンジンの転写に達するまでの時間であり、
ベルト期間とは光受容体ベルトが一回転する時間である。
【請求項３】
タンデムデジタル印刷システムであって、
第１の継合光受容体ベルトと出力反転器とを有する第１の印刷エンジンと、
第１の継合光受容体ベルトを有する第２の印刷エンジンと、
第１と第２の印刷エンジンと第１の反転器とに作動的に接続された主コントローラとを含み、この主コントローラは、
印刷ジョブ用の複数のパラメータを受け取る工程と、
第１の印刷エンジンと第２の印刷エンジンを循環動作させる工程で、第１の印刷エンジンが少なくとも第１の継合光受容体ベルトと出力反転器とを含み、第２の印刷エンジンが少なくとも第２の継合光受容体ベルトを含む工程と、
第１と第２の光受容体ベルトに対する継目オフセットを算出する工程で、前記継目オフセットは前記第１の光受容体ベルトの継目に対する前記第２の光受容体ベルトの継目をオフセットさせる時間量である、工程と、
継目オフセットに基づき第１と第２の光受容体ベルトの速度を調整する工程と、
印刷ジョブを開始する工程と、
所与のピッチモードにおける最大シート寸法と、実際のシート寸法と、前記出力反転器に進入するシート速度とに基づいて、所与のシート長さについての出力反転器の一時停止時間を調整する工程とに作動する、システム。
【請求項４】
請求項３に記載のシステムにおいて、
所与のピッチモードでの最大シート寸法についての前記継目オフセットは、下式で算出される、システム。
継目オフセット＝第１の印刷エンジンから最大シート寸法を反転器が保持するまでの時間＋公称反転器一時停止時間＋反転器保持から第２の印刷エンジンまでの時間−ベルト期間
ここで、第１の印刷エンジンから最大シート寸法を反転器が保持するまでの時間とは、所与のピッチモードにおける最大シート寸法についての第１の印刷エンジンの出力反転器内でシートが停止するまでの第１の印刷エンジンの転写からの時間であり、
公称反転器一時停止時間とは、第１の印刷エンジンの出力反転器における公称一時停止時間であり、
反転器保持から第２の印刷エンジンまでの時間とは、所与のピッチモードでの最大シート寸法について、シートが反転器から離脱開始する時点から第２の印刷エンジンの転写に達するまでの時間であり、
ベルト期間とは光受容体ベルトが一回転する時間である。
継目オフセットは、第１の光受容体ベルトの継目に対し第２の光受容体ベルトの継目をオフセットさせる時間量を含む、システム。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
コンピュータにより実行する方法であって、
印刷エンジン用に計量配給する必要のあるマーキング材料の量に関する少なくとも１つの制御ループ要素から、プロセッサにより計量配給値を受け取る工程と、
前記プロセッサを用い、コンピュータ可読記憶媒体内の前記計量配給値を累計計量配給値として累計する工程と、
前記プロセッサを用い、前記累計計量配給値を所定の上限計量配給値および所定の下限計量配給値と比較する工程と、
前記累計計量配給値が前記所定の上限計量配給値以上となったときに、前記プロセッサを用いて暫定値を前記所定の上限に等しく設定する工程と、
前記累計計量配給値が前記所定の下限計量配給値以下となったときに、前記プロセッサを用いて前記暫定値を前記所定の下限に等しく設定する工程と、
前記プロセッサを用い、前記暫定値から前記累計計量配給値を減算して中間値を得て、該中間値に最適化限界ゲインを乗算し、更新された計量配給値を生成する工程と、
前記プロセッサを用い、前記累計計量配給値に前記更新された計量配給値を加算し、更新された累計計量配給値を生成する工程と、
前記プロセッサを用い、前記更新された累計計量配給値と制限時間とを比較する工程と、
前記更新された累計計量配給値が前記制限時間を上回ったときに、前記プロセッサを用い、前記制限時間に亙りトナー計量配給モータを起動し、前記更新された累計計量配給値から前記制限時間を減算する工程とを含む方法。
【請求項２】
コンピュータにより実行する方法であって、
計算装置により、トナー計量配給起動ループ内から累計計量配給値を更新する工程と、
前記計算装置により、前記トナー計量配給起動ループとは非同期的に動作する少なくとも１つの制御ループ要素から計量配給値を受け取ることで前記累計計量配給値を調整する工程と、
前記累計計量配給値が前記所定の計量配給値飽和上限以上となったときに、前記計算装置により前記所定計量配給飽和上限に等しい暫定累計計量配給値を記憶する工程および前記累計計量配給値が前記所定の計量配給値飽和下限以下となったときに、前記計算装置により所定の計量配給飽和下限に等しい前記暫定累計計量配給値を記憶する工程の一方と、
前記暫定累計計量配給値から前記累計計量配給値を減算し、その差分に所定の最適化限界ゲインを乗算することで、前記計算装置により調整された累計計量配給値を算出する工程と、
前記累計計量配給値に前記調整された累計計量配給値を加算することで、前記計算装置により新規の累計計量配給値を特定する工程と、
前記新規の累計計量配給値が前記制限時間以上となったときに、前記計算装置により、オン時間値に等しい時間期間に亙りトナー計量配給モータを起動し、前記新規の累計値から前記オン時間値を減算する工程とを含む方法。
【請求項３】
印刷装置であって、
計量配給時間アキュムレータバッファを有するトナー濃度（ＴＣ）コントローラと、
計量配給値を伝送し、インクリメントかデクリメント歩進の一方を前記計量配給時間アキュムレータバッファに行なう少なくとも１つの制御ループと、
前記計量配給時間アキュムレータバッファの値の更新に基づき、トナー計量配給モータを制御するトナー計量配給起動ループと、
印刷エンジン用の前記トナー計量配給モータとトナーと現像機とトナー濃度（ＴＣ）センサとを含む現像機筺体とを備え、
少なくとも１つの制御ループは、誤差信号の比例ゲイン成分を前記誤差信号の積分ゲイン成分と総計することにより前記現像機筐体内のトナー濃度（ＴＣ）センサに基づいて前記計量配配給値を生成するトナー濃度（ＴＣ）センサ計量配給制御ループを含む、印刷装置。
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
ビームの形態で電磁信号を送信する送信機システムと、
ビームがモーションディテクターに遭遇すると当該モーションディテクターが起動されるように、送信機システムにビームを送信させるコントローラと
を備え、
該コントローラが複数のビーム周波数を選択して、該ビームが該モーションディテクターの複数の電装品に結合し、該モーションディテクターが該ビームに遭遇するとき該モーションディテクターを起動するのと同じ方式で該モーションディテクターの該複数の電装品に該ビームが結合するように、該ビームを該複数の周波数で送信するように構成される装置。
る装置。
【請求項２】
モーションディテクターが受動的モーションディテクターである、請求項１に記載の装置。
【請求項３】
送信機システムが、
電磁信号を生成する信号生成器と、
ビームの形態で電磁信号を送信するアンテナシステムと
を備えている、請求項１に記載の装置。
【請求項４】
信号生成器が、
約７５ＧＨｚ〜約１１０ＧＨｚの波長の無線周波数信号の形態で電磁信号を生成する無線周波数生成器
を含む、請求項３に記載の装置。
【請求項５】
アンテナシステムがガウス光アンテナを含む、請求項３に記載の装置。
【請求項６】
ビームが無線周波数ビームである、請求項１に記載の装置。
【請求項７】
ビームが略平行無線周波数ビームである、請求項１に記載の装置。
【請求項８】
モーションディテクターの起動方法であって、
ビームの形態で電磁信号を送信することであって、当該ビームがモーションディテクターに遭遇すると当該モーションディテクターを起動させることと、
モーションディテクターが起動するように、当該モーションディテクターが存在する位置へビームを向けることと、
ビームの形態で該電磁信号を送信することを制御し、複数のビーム周波数を選択して、該ビームが該モーションディテクターの複数の電装品に結合し、該モーションディテクターが該ビームに遭遇するとき該モーションディテクターを起動するのと同じ方式で該モーションディテクターの該複数の電装品に該ビームが結合するように、該ビームを該複数の周波数で送信することと
を含む方法。
【請求項９】
他の複数の位置へビームを向けることであって、ビームが他の複数のモーションディテクターに遭遇すると、他の複数の位置における複数の他のモーションディテクターが起動されること
を更に含む、請求項８に記載の方法。
【手続補正２】
【補正対象書類名】明細書
【補正対象項目名】００６７
【補正方法】変更
【補正の内容】
【００６７】
更に、種々の有利な実施形態により、他の有利な実施形態と比較して異なる利点が提供される。ここに選択された一つ又は複数の実施形態は、本発明の実施形態の原理、実際の用途を最もよく説明するため、及び他の当業者が、考慮される特定の用途に合わせて様々に修正可能な種々の実施形態の開示内容を理解できるように、選ばれ、記載されている。
また、本願は以下に記載する態様を含む。
（態様１）
ビームの形態で電磁信号を送信する送信機システムと、
ビームがモーションディテクターに遭遇すると当該モーションディテクターが起動されるように、送信機システムにビームを送信させるコントローラと
を備える装置。
（態様２）
ビームがモーションディテクターに遭遇すると当該モーションディテクターが起動されるように、送信機システムにビームを送信させるとき、コントローラが、モーションディテクターの複数の電装品を結合するように構成された複数のビーム周波数を選択して、当該複数の周波数を有するビームを送信することにより、モーションディテクターがビームに遭遇したときに当該モーションディテクターが起動されるのと同じ方式で、ビームがモーションディテクターの複数の電装品に結合する、態様１に記載の装置。
（態様３）
モーションディテクターが受動的モーションディテクターである、態様１に記載の装置。
（態様４）
送信機システムが、
電磁信号を生成する信号生成器と、
ビームの形態で電磁信号を送信するアンテナシステムと
を備えている、態様１に記載の装置。
（態様５）
信号生成器が、
約７５ＧＨｚ〜約１１０ＧＨｚの波長の無線周波数信号の形態で電磁信号を生成する無線周波数生成器
を含む、態様４に記載の装置。
（態様６）
アンテナシステムがガウス光アンテナを含む、態様４に記載の装置。
（態様７）
ビームが無線周波数ビームである、態様１に記載の装置。
（態様８）
ビームが略平行無線周波数ビームである、態様１に記載の装置。
（態様９）
モーションディテクターの起動方法であって、
ビームの形態で電磁信号を送信することであって、当該ビームがモーションディテクターに遭遇すると当該モーションディテクターを起動させることと、
モーションディテクターが起動するように、当該モーションディテクターが存在する位置へビームを向けることと
を含む方法。
（態様１０）
他の複数の位置へビームを向けることであって、ビームが他の複数のモーションディテクターに遭遇すると、他の複数の位置における複数の他のモーションディテクターが起動されること
を更に含む、態様９に記載の方法。
【手続補正書】
【提出日】平成26年3月20日(2014.3.20)
【手続補正１】
【補正対象書類名】明細書
【補正対象項目名】００１９
【補正方法】変更
【補正の内容】
【００１９】
光軸（軸、レンズの回転対称軸に同じ。）に配置されたＬＥＤチップ２ｂから出射した発散光線は、光軸に沿って主光線２０ｂ０が出光し、入射面４ｂの凹面部４ｂ１若しくはリング状凸面部４ｂ２に入射するが、凹面部４ｂ１に入射する光線（図３（ａ）に実線で示す。）は、凹面部４ｂ１と出射面４ａのレンズ作用を受け、ＬＥＤチップ２ｂ出射時よりも発散角を狭められた発散光線２０ｂ（符号２０ｂ０で示す主光線を中心として、上下の符号２０ｂ１、２０ｂ２で示す光線を含む広がりを持つ光線。）となって光軸を中心としてレンズ４００から出光する。ＬＥＤチップ２ｂの光線のうち、ＬＥＤチップ２ｂから出射し、レンズ４００のリング状凸面部４ｂ２に入射する光線（図示しない。）は、入射面４ｂと出射面４ａからなる光学面ではレンズ作用が小さく光軸から大きく発散している光線となり、映像表示装置の想定視野角内に入らなくなるため、ここでは説明しない。
【手続補正２】
【補正対象書類名】明細書
【補正対象項目名】００３０
【補正方法】変更
【補正の内容】
【００３０】
実施の形態２. 
本実施の形態２では、実施の形態１において示したレンズ４００を用いて、４個以上のＬＥＤチップを持つn in 1 ＬＥＤ発光素子を一つの固体光源として用いる場合について、まず説明する。
３原色であるＲ、Ｇ、Ｂの他、Ｃ（シアン）、Ｙ（黄）、Ｗ（白）など多色の光源を用いて色再現性を高めたり明るさを向上させたりする高画質の映像表示装置が期待されている。
図９は本発明の実施の形態２におけるレンズ４００とレンズ４００を有効に機能させる5 in 1ＬＥＤ発光素子２１のＬＥＤチップ配列を示したものである。図示したように実施の形態１で示した3 in 1 ＬＥＤ発光素子２のＬＥＤチップ２ａ−２ｂ間、若しくは２ｂ−２ｃ間の素子間隔を半径とした仮想のピッチ円の円周上に、ＬＥＤチップ２ａ、２ｄ、２ｃ、２ｅを９０度の等間隔（９０度間隔）で配列すれば、光軸上に配置されたＬＥＤチップ２ｂと合わせて計５個のＬＥＤチップを配置した5 in 1ＬＥＤ発光素子２１が得られる。ここで、ピッチ円の半径は、入射面４ｂの凹面部４ｂ１の半径よりも大きくなり、ＬＥＤチップ２ａ、２ｄ、２ｃ、２ｅは、入射面４ｂのリング状凸面部４ｂ２に対向しているため、各ＬＥＤチップから出射した発散光線は実施の形態１で説明した場合と同様の軌跡をたどり、ＬＥＤチップの数が増えたとしても各ＬＥＤチップから出射しレンズ４００を通過した光の配光特性は揃い、良好な画質の映像表示装置を得ることができる。